(57)【要約】【課題】１台の乳房用Ｘ線診断装置だけで病変部の標本撮影を行えるようにすること。【解決手段】Ｘ線検出器またはカセッテを有する標本撮影箱１３０をＸ線曝射装置１が発生するＸ線を利用して標本撮影が行えるようにＸ線曝射装置１に着脱可能とする。また、標本撮影箱感知センサー１１５が標本撮影箱１３０の装着を検出すると、乳房用Ｘ線診断装置が撮影モードを病変部の標本撮影用に自動設定する。具体的には、Ｘ線焦点を「小」に設定し、Ｘ線管電圧を「２２ｋｖ」に設定し、陽極材質（ターゲット）および線質補償フィルタを「モリブデン」に設定し、ｍＡｓを「５」に設定する。【選択図】        図１
2008272093.tif 000002
【特許請求の範囲】
【請求項１】
被験者の乳房にＸ線を曝射し、透過したＸ線を検出して乳房を撮影する乳房用Ｘ線撮影装置であって、
被験者の乳房にＸ線を曝射するＸ線曝射手段に被験者の乳房から採取された標本を撮影する標本撮影装置が着脱可能であり、装着された標本撮影装置が前記Ｘ線曝射手段が発生するＸ線を用いて標本を撮影することを特徴とする乳房用Ｘ線撮影装置。
【請求項２】
前記標本撮影装置の装着を検出する標本撮影装置検出手段と、
前記標本撮影装置検出手段により標本撮影装置の装着が検出された場合に撮影モードを標本を撮影する標本撮影モードに設定する標本撮影モード設定手段と
をさらに備えたことを特徴とする請求項１に記載の乳房用Ｘ線撮影装置。
【請求項３】
前記標本撮影モード設定手段は、標本撮影モードとしてＸ線焦点、Ｘ線管電圧、陽極材質、線質補償フィルタおよびｍＡｓを標本撮影用に設定することを特徴とする請求項２に記載の乳房用Ｘ線撮影装置。
【請求項４】
被験者の乳房にＸ線を曝射し、透過したＸ線を検出して乳房を撮影する乳房用Ｘ線撮影方法であって、
被験者の乳房にＸ線を曝射するＸ線曝射手段に被験者の乳房から採取された標本を撮影する標本撮影装置を装着する標本撮影装置装着ステップと、
前記標本撮影装置装着ステップにより装着された標本撮影装置が前記Ｘ線曝射手段が発生するＸ線を用いて標本を撮影する標本撮影ステップと
を含んだことを特徴とする乳房用Ｘ線撮影方法。
【発明の詳細な説明】
【技術分野】
【０００１】
この発明は、被験者の乳房にＸ線を曝射し、透過したＸ線を検出して乳房を撮影する乳房用Ｘ線撮影装置に関する。
【背景技術】
【０００２】
近年、乳がん患者の数は増加傾向にあり、乳がんによる死亡率も高まっている。このため、乳がんの早期発見を目指して乳房用Ｘ線撮影装置を使ったマンモグラフィ検診の整備が全国で進められている。また、医師によるマンモグラム画像の読影を支援する様々な機能を備えた乳房用Ｘ線撮影装置が開発されている（例えば、特許文献１参照）。
【０００３】
乳房用Ｘ線撮影装置による検査では、撮影によって病変部が発見されると細胞診断のために病変部から標本の採取が行われる。そして、標本が適切であるかの確認のために標本のＸ線撮影が行われる。
【０００４】
ここで、標本のＸ線撮影は被験者の乳房の撮影ポジションを固定したまま行う必要があるため、被験者の乳房を撮影した乳房用Ｘ線撮影装置を標本撮影に使用することはできない。このため、標本撮影用に別のＸ線撮影装置が必要となる。
【０００５】
ただし、乳房用Ｘ線撮影装置は２５−３０ｋｖあたりの極めて低い電圧で撮影することから、乳房用Ｘ線撮影装置以外の他のＸ線撮影装置を標本撮影に用いることができない。したがって、被験者の乳房を撮影する乳房用Ｘ線撮影装置の他に、標本を撮影するための乳房用Ｘ線撮影装置がもう一式必要となる。あるいは、乳房用Ｘ線撮影装置の代わりに病変部の標本を撮影する専用の標本撮影装置が必要となる。
【０００６】
【特許文献１】特開平８−１８６７６２号公報
【発明の開示】
【発明が解決しようとする課題】
【０００７】
しかしながら、被験者の乳房を撮影する乳房用Ｘ線撮影装置の他に標本撮影用の乳房用Ｘ線撮影装置あるいは専用の標本撮影装置を準備することは、装置の設置スペースや設備投資の点から効率が悪いという問題があった。
【０００８】
この発明は、上述した従来の問題点を解消するためになされたものであり、被験者の撮影ポジションを固定したまま確認のために病変部の標本の撮影を行う際に標本撮影用の乳房用Ｘ線撮影装置や専用の標本撮影装置を不要とすることができる乳房用Ｘ線撮影装置および乳房用Ｘ線撮影方法を提供することを目的とする。
【課題を解決するための手段】
【０００９】
上述した課題を解決し、目的を達成するため、請求項１記載の本発明は、被験者の乳房にＸ線を曝射し、透過したＸ線を検出して乳房を撮影する乳房用Ｘ線撮影装置であって、被験者の乳房にＸ線を曝射するＸ線曝射手段に被験者の乳房から採取された標本を撮影する標本撮影装置が着脱可能であり、装着された標本撮影装置が前記Ｘ線曝射手段が発生するＸ線を用いて標本を撮影することを特徴とする。
【００１０】
また、請求項４記載の本発明は、被験者の乳房にＸ線を曝射し、透過したＸ線を検出して乳房を撮影する乳房用Ｘ線撮影方法であって、被験者の乳房にＸ線を曝射するＸ線曝射手段に被験者の乳房から採取された標本を撮影する標本撮影装置を装着する標本撮影装置装着ステップと、前記標本撮影装置装着ステップにより装着された標本撮影装置が前記Ｘ線曝射手段が発生するＸ線を用いて標本を撮影する標本撮影ステップとを含んだことを特徴とする。
【発明の効果】
【００１１】
請求項１または４記載の本発明によれば、標本撮影装置を装着して標本撮影を行うので、標本撮影用の乳房用Ｘ線撮影装置を不要とすることができる。
【発明を実施するための最良の形態】
【００１２】
以下に添付図面を参照して、この発明に係る乳房用Ｘ線撮影装置および乳房用Ｘ線撮影方法の好適な実施例を詳細に説明する。なお、本実施例では、本発明を乳房用Ｘ線診断装置に適用した場合を中心に説明する。
【実施例】
【００１３】
まず、本実施例に係る乳房用Ｘ線診断装置の概要について説明する。図１は、本実施例に係る乳房用Ｘ線診断装置の概要を説明するための説明図である。同図（ａ）は従来の乳房用Ｘ線診断装置を示し、同図（ｂ）は本実施例に係る乳房用Ｘ線診断装置を示す。
【００１４】
同図（ｂ）に示すように、本実施例に係る乳房用Ｘ線診断装置では、採集標本（病変部から採取した標本）を透過したＸ線を検出するＸ線検出器またはカセッテを有する標本撮影箱１３０をＸ線曝射装置１に装着して標本の撮影を行う。すなわち、本実施例に係る乳房用Ｘ線診断装置では、標本撮影箱１３０をＸ線曝射装置１に装着することによって、被験者の乳房を撮影するＸ線を発生するＸ線曝射装置１を用いて標本のＸ線撮影を行う。
【００１５】
このように、本実施例に係る乳房用Ｘ線診断装置では、被験者の乳房を撮影する乳房用Ｘ線診断装置のＸ線曝射装置１を用いて標本のＸ線撮影を行うことによって、標本撮影用に他の乳房用Ｘ線撮影装置や専用の標本撮影装置を準備する必要をなくすことができる。なお、標本撮影箱１３０は、被験者の顔へのＸ線の曝射を防ぐためのフェースガードの取り付け機構を用いてＸ線曝射装置１に装着される。
【００１６】
また、本実施例に係る乳房用Ｘ線診断装置は、Ｘ線曝射装置１への標本撮影箱１３０の装着を検出する標本撮影箱感知センサー１１５を備え、標本撮影箱感知センサー１１５が標本撮影箱１３０の装着を検出すると撮影モードを標本を撮影する標本撮影モードに自動的に設定する。例えば、Ｘ線焦点を「小焦点」に設定し、Ｘ線管電圧を「２２ｋｖ」に設定し、陽極材質（ターゲット）および線質補償フィルタを「モリブデン」に設定し、ｍＡｓを「５」に設定する。
【００１７】
このように、本実施例に係る乳房用Ｘ線診断装置は、標本撮影箱１３０の装着を検出して撮影モードを標本撮影モードに自動的に設定することによって、標本の撮影を効率良く正確に行うことができる。なお、標本撮影箱感知センサー１１５としてはマイクロスイッチやフォトインタラプタを用いることができる。
【００１８】
次に、本実施例に係る乳房用Ｘ線診断装置の構成について図２および図３を用いて説明する。図２は、本実施例に係る乳房用Ｘ線診断装置の撮影台装置を示す図であり、図３は、本実施例に係る乳房用Ｘ線診断装置の構成を示す機能ブロック図である。
【００１９】
図２に示すように、本実施例に係る乳房用Ｘ線診断装置の撮影台装置は、被験者の乳房にＸ線を曝射するＸ線曝射装置１と、被験者の乳房を載せる撮影台２と、乳房を透過したＸ線を検出するＸ線検出器１１４とを有する。
【００２０】
そして、被験者の乳房の撮影や標本の採取針の位置決めを行う場合には、標本撮影箱１３０はＸ線曝射装置１から取り外される。一方、採取針により病変部から採取された標本を確認用に撮影する場合には、被験者の撮影ポジションを固定したままの状態で、Ｘ線曝射装置１が発生するＸ線を利用できる位置に標本撮影箱１３０が装着される。
【００２１】
また、図３に示すように、この乳房用Ｘ線診断装置１００は、撮影台装置１１０と、撮影台装置１１０に着脱可能な標本撮影箱１３０と、撮影台装置１１０によって撮影された画像を処理・記憶するデジタル収集装置１２０とを有し、撮影台装置１１０は、制御装置１１１と、Ｘ線制御装置１１２と、Ｘ線管１１３と、Ｘ線検出器１１４と、標本撮影箱感知センサー１１５とを有する。
【００２２】
制御装置１１１は、ユーザ操作を受け付けて乳房用Ｘ線診断装置１００の動作を制御する制御部である。Ｘ線制御装置１１２は、制御装置１１１からの指示に基づいてＸ線管１１３が発生するＸ線を制御する制御部である。また、このＸ線制御装置１１２は、標本撮影箱感知センサー１１５が標本撮影箱１３０の装着を検出すると、撮影モードを標本撮影モードに設定する。
【００２３】
具体的には、このＸ線制御装置１１２は、標本撮影箱感知センサー１１５が標本撮影箱１３０の装着を検出すると、Ｘ線焦点を「小」に設定し、Ｘ線管電圧を「２２ｋｖ」に設定し、陽極材質（ターゲット）および線質補償フィルタを「モリブデン」に設定し、ｍＡｓを「５」に設定する。
【００２４】
Ｘ線管１１３は、被験者の乳房に曝射するＸ線を発生する装置であり、図２に示したＸ線曝射装置１の一部である。また、このＸ線管１１３は、撮影モードが標本撮影モードである場合には、標本撮影箱１３０内の標本にＸ線を曝射する。
【００２５】
Ｘ線検出器１１４は、被験者の乳房を透過したＸ線を検出する検出器である。標本撮影箱感知センサー１１５は、標本撮影箱１３０の装着を検出するセンサーであり、標本撮影箱１３０の装着を検出してＸ線制御装置１１２に通知する。
【００２６】
次に、本実施例に係る乳房用Ｘ線診断装置１００の処理手順について説明する。図４は、本実施例に係る乳房用Ｘ線診断装置１００の処理手順を示すフローチャートである。同図に示すように、この乳房用Ｘ線診断装置１００は、ユーザ操作にしたがってスカウト撮影処理を行う（ステップＳ１）。ここで、スカウト撮影とは、病変概略位置確認のために行う正面方向からの撮影である。
【００２７】
そして、ユーザが病変部の存在を確認して対象病変部のステレオ撮影を指示すると、乳房用Ｘ線診断装置１００はステレオ撮影処理を行う（ステップＳ２）。ここで、ステレオ撮影とは、病変部の立体感を表現するために行う斜め２方向からの撮影である。
【００２８】
そして、ユーザが病変部の標本収集のための収集針位置決めを指示すると、乳房用Ｘ線診断装置１００は、収集針の位置決め処理を行う（ステップＳ３）。そして、ユーザが採取した標本を標本撮影箱１３０にセットして標本撮影箱１３０をＸ線曝射装置１に装着すると、乳房用Ｘ線診断装置１００は標本を撮影する採取標本撮影処理を行う（ステップＳ４）。
【００２９】
そして、ユーザが標本を確認して撮影の終了を指示する（ステップＳ５、Ｙｅｓ）と、乳房用Ｘ線診断装置１００は処理を終了し、ユーザが標本を確認した結果、再度標本の採取が必要であると判断して再撮影を指示すると（ステップＳ５、Ｎｏ）、乳房用Ｘ線診断装置１００はステップＳ２からの処理を繰り返す。
【００３０】
次に、図４に示した採取標本撮影処理（ステップＳ４）の処理手順について説明する。図５は、図４に示した採取標本撮影処理の処理手順を示すフローチャートである。図５に示すように、この採取標本撮影処理では、乳房用Ｘ線診断装置１００は、標本撮影箱感知センサー１１５が標本撮影箱１３０の装着を検出すると（ステップＳ４１、Ｙｅｓ）、Ｘ線制御装置１１２が標本撮影モードへの切替え処理を行う（ステップＳ４２）。
【００３１】
具体的には、Ｘ線制御装置１１２は、Ｘ線焦点を「小」に設定し、Ｘ線管電圧を「２２ｋｖ」に設定し、陽極材質（ターゲット）および線質補償フィルタを「モリブデン」に設定し、ｍＡｓを「５」に設定する。
【００３２】
そして、乳房用Ｘ線診断装置１００は、標本撮影モードへの切替えが成功したか否かを判定し（ステップＳ４３）、標本撮影モードへの切替えが成功した場合には、標本の撮影のための標本撮影処理を行う（ステップＳ４４）。
【００３３】
一方、標本撮影モードへの切替えが成功しなかった場合には、乳房用Ｘ線診断装置１００は、エラー表示を行い（ステップＳ４５）、ユーザにトラブルシューティングを依頼する。そして、ユーザによるトラブルシューティングが成功した場合（ステップＳ４６、Ｙｅｓ）には、ステップＳ４１に戻り、トラブルシューティングが成功しなかった場合（ステップＳ４６、Ｎｏ）には、採取標本撮影処理を終了する。
【００３４】
このように、標本撮影箱感知センサー１１５が標本撮影箱１３０の装着を検出し、Ｘ線制御装置１１２が標本撮影モードへの切替え処理を行うことによって、効率良く正確に標本撮影を行うことができる。
【００３５】
上述してきたように、本実施例では、Ｘ線検出器またはカセッテを有する標本撮影箱１３０をＸ線管１１３が発生するＸ線を利用して標本撮影が行えるようにＸ線曝射装置１に着脱可能とすることとしたので、病変部の標本撮影用に他の乳房用Ｘ線撮影装置や専用の標本撮影装置を準備する必要をなくすことができ、装置の設置スペースや設備投資の効率を向上させることができる。
【００３６】
また、本実施例では、標本撮影箱感知センサー１１５が標本撮影箱１３０の装着を検出すると、Ｘ線制御装置１１２が撮影モードを標本撮影用に自動設定することとしたので、病変部の確認を効率良く正確に行うことができる。
【００３７】
なお、本実施例では、標本撮影箱１３０をフェースガードの取り付け機構を用いてＸ線曝射装置１に装着する場合について説明したが、本発明はこれに限定されるものではなく、Ｘ線管１１３が発生するＸ線を利用できる位置に標本撮影箱１３０を他の方法で固定する場合にも同様に適用することができる。
【産業上の利用可能性】
【００３８】
以上のように、本発明は、乳房用Ｘ線診断装置として有用であり、特に、病変部撮影用に他の乳房用Ｘ線撮影装置や専用の標本撮影装置を準備することが困難である場合に適している。
【図面の簡単な説明】
【００３９】
【図１】本実施例に係る乳房用Ｘ線診断装置の概要を説明するための説明図である。
【図２】本実施例に係る乳房用Ｘ線診断装置の撮影台装置を示す図である。
【図３】本実施例に係る乳房用Ｘ線診断装置の構成を示す機能ブロック図である。
【図４】本実施例に係る乳房用Ｘ線診断装置の処理手順を示すフローチャートである。
【図５】図４に示した採取標本撮影処理の処理手順を示すフローチャートである。
【符号の説明】
【００４０】
１    Ｘ線曝射装置
２    撮影台
１００    乳房用Ｘ線診断装置
１１０    撮影台装置
１１１    制御装置
１１２    Ｘ線制御装置
１１３    Ｘ線管
１１４    Ｘ線検出器
１１５    標本撮影箱感知センサー
１２０    デジタル収集装置
１３０    標本撮影箱
【図１】
2008272093.tif 000003
【図２】
2008272093.tif 000004
【図３】
2008272093.tif 000005
【図４】
2008272093.tif 000006
【図５】
2008272093.tif 000007